(57)【要約】【課題】相手側コネクタとの嵌合作業を容易に行うことが可能な電線カバーおよび電線カバー付きコネクタを提供する。【解決手段】電線Ｗの端末に接続されたコネクタ本体Ｃの後面に取り付けられ、前記電線Ｗを所定の方向に屈曲させて保持する電線カバー３０であり、前記所定の方向に突出して後部に設けられた電線固定部３８と、前記電線固定部３８から前記コネクタ本体Ｃと相手側コネクタ５０との嵌合方向に対して略直交する方向に張り出して設けられた張出部４１と、を備えている。【選択図】図４
2017021926.tif 000002
【特許請求の範囲】
【請求項１】
電線の端末に接続されたコネクタ本体の後面に取り付けられ、前記電線を所定の方向に屈曲させて保持する電線カバーであり、
前記所定の方向に突出して後部に設けられた電線固定部と、
前記電線固定部から前記コネクタ本体と相手側コネクタとの嵌合方向に対して略直交する方向に張り出して設けられた張出部と、を備えている電線カバー。
【請求項２】
前記電線固定部のうち前記張出部の前側にバンドが巻き付けられて前記電線が固定されるようになっている請求項１に記載の電線カバー。
【請求項３】
前記張出部の張り出し端部に、凹部が形成されている請求項１または請求項２に記載の電線カバー。
【請求項４】
電線の端末に接続されるコネクタ本体と、
請求項１ないし請求項３のいずれか一項に記載の電線カバーと、を備えている電線カバー付きコネクタ。
【請求項５】
前記コネクタ本体が、相手側コネクタに嵌合可能なハウジングと、初期位置から嵌合位置まで回動操作されることにより前記相手側コネクタと前記ハウジングとを正規嵌合し得るレバーと、を有し、
前記レバーが前記初期位置に配されているときに前記相手側コネクタに設けられたカムピンと係合するカム溝の入口と、前記張出部の位置とが、前記ハウジングの幅方向において対応する位置に配されている請求項４に記載の電線カバー付きコネクタ。
【発明の詳細な説明】
【技術分野】
【０００１】
本発明は、電線カバーおよび電線カバー付きコネクタに関する。
【背景技術】
【０００２】
従来、電線の端末に接続されたコネクタ本体の後面に、電線を所定の方向に屈曲させて保持する電線カバーが取り付けられたコネクタが知られている。例えば下記特許文献１に記載のコネクタにおいては、電線カバーが横向きに開口し、電線が電線カバーによって屈曲されて横方向に引き出されるようになっている。電線は、電線カバーの開口部に設けられた電線固定部に沿って配され、結束バンドに巻き付けられて電線固定部に固定されている。
【先行技術文献】
【特許文献】
【０００３】
【特許文献１】特開２０１３−１５２８８５号公報
【発明の概要】
【発明が解決しようとする課題】
【０００４】
ところで、上記のような電線カバー付きのコネクタにおいては、相手側コネクタと嵌合する際に、電線カバーの後面を押圧することになる。しかしながら、電線カバーの後面は、電線の束の周面に沿うように湾曲していて押圧しにくく、相手側コネクタとの嵌合作業が容易ではなかった。
【０００５】
本発明は上記のような事情に基づいて完成されたものであって、相手側コネクタとの嵌合作業を容易に行うことが可能な電線カバーおよび電線カバー付きコネクタを提供することを目的とする。
【課題を解決するための手段】
【０００６】
本発明の電線カバーは、電線の端末に接続されたコネクタ本体の後面に取り付けられ、前記電線を所定の方向に屈曲させて保持する電線カバーであり、前記所定の方向に突出して後部に設けられた電線固定部と、前記電線固定部から前記コネクタ本体と相手側コネクタとの嵌合方向に対して略直交する方向に張り出して設けられた張出部と、を備えている。
【０００７】
また、本発明の電線カバー付きコネクタは、電線の端末に接続されるコネクタ本体と、前記電線カバーと、を備えている。
【発明の効果】
【０００８】
本発明によれば、相手側コネクタとの嵌合作業の際に、張出部の後面を押圧することができるから、相手側コネクタとの嵌合作業を容易に行うことができる。
【図面の簡単な説明】
【０００９】
【図１】本実施例におけるコネクタを示す斜視図
【図２】相手側コネクタと嵌合する様子を示すコネクタの側面図
【図３】コネクタを示す背面図
【図４】相手側コネクタと正規嵌合した状態のコネクタを示す断面図
【図５】コネクタ本体を示す背面図
【図６】電線カバーを示す平面図
【図７】電線カバーを示す正面図
【図８】電線カバーを示す側面図
【図９】コネクタ本体に電線カバーを取り付ける前の状態を示す側面図
【図１０】コネクタ本体に電線カバーが取り付けられた状態を示す断面図
【発明を実施するための形態】
【００１０】
本発明の好ましい形態を以下に示す。
本発明の電線カバーは、前記電線固定部のうち前記張出部の前側にバンドが巻き付けられて前記電線が固定されるようになっているものとしてもよい。このような構成によれば、張出部によってバンドの位置決めをすることができる。
【００１１】
また、本発明の電線カバーは、前記張出部の張り出し端部に、凹部が形成されているものとしてもよい。このような構成によれば、張出部に形成された凹部にバンドの頭部を嵌めることにより、頭部の位置を定めることができる。
【００１２】
また、本発明の電線カバー付きコネクタは、前記コネクタ本体が、相手側コネクタに嵌合可能なハウジングと、初期位置から嵌合位置まで回動操作されることにより前記相手側コネクタと前記ハウジングとを正規嵌合し得るレバーと、を有し、前記レバーが前記初期位置に配されているときに前記相手側コネクタに設けられたカムピンと係合するカム溝の入口と、前記張出部の位置とが、前記ハウジングの幅方向において対応する位置に配されているものとしてもよい。
【００１３】
このような構成によれば、相手側コネクタとの嵌合作業の際に、張出部の後面を押圧することによって、レバーのカム溝の入口と相手側コネクタのカムピンとの対向方向にコネクタ本体が押されるから、相手側コネクタとの嵌合作業をより容易に行うことができる。
【００１４】
＜実施例＞
以下、本発明を具体化した一実施例について、図１〜図１０を参照しつつ詳細に説明する。
本実施例における電線カバー付きコネクタ（以後、単にコネクタと称する）は、電線Ｗの端末に接続されるコネクタ本体Ｃと、電線Ｗを所定の方向に屈曲させて保持する電線カバー３０とを備えている。コネクタ本体Ｃは、電線Ｗの端末部に接続された端子金具（図示せず）が収容されるハウジング１０と、回動操作されることにより相手側コネクタ５０との嵌合・離脱を行わしめるレバー２０とを有している。以下、各構成部材において、コネクタの嵌合面側をそれぞれ前方とし、また、図１における上側を上方、下側を下方として説明する。
【００１５】
相手側コネクタ５０のハウジング５１は合成樹脂製であって、図２に示すように、前方に開口したフード部５２を備えている。フード部５２の上壁には、円柱状をなすカムピン５３が下方に向かって（フード部５２の内部空間に向かって）突出して形成されている。カムピン５３は、図４に示すように、フード部５２の幅方向における中央部に設けられ、フード部５２の前後方向における中央よりも前端寄りに位置している。
【００１６】
ハウジング１０は合成樹脂製であって、複数の端子金具が収容される端子収容部１１と、レバー２０が収容されるレバー収容部１２とを有し、全体として、相手側コネクタ５０のフード部５２内に嵌合可能な略方形のブロック状をなしている。
【００１７】
端子収容部１１には、端子金具が個別に収容される端子収容室１１Ｒが複数設けられている。複数の端子収容室１１Ｒは、上下方向に複数段に分けられるとともに、各段に左右方向に並べて配されている。各端子収容室１１Ｒに端子金具が後方から収容されると、ハウジング１０の後面から電線Ｗが後方に引き出された状態になる。
【００１８】
レバー収容部１２は、ハウジング１０の上面の幅方向略全体にわたる大きさを有し、後端部は、ハウジング１０の後面よりも後側に一段突出している。レバー収容部１２には、図４に示すように、相手側コネクタ５０のカムピン５３を受け入れる第１受入路１３と、図示しないロック解除部を受け入れる第２受入路１４とが設けられている。第１受入路１３および第２受入路１４はいずれもレバー収容部１２の前端から後方に向かって直線状に延びている。第１受入路１３はハウジング１０の幅方向における略中心に位置し、第２受入路１４はハウジング１０の幅方向における一端側に位置している。
【００１９】
また、レバー収容部１２には、レバー２０に設けられた初期ロック片２４が係止可能な初期ロック部１５が設けられている。初期ロック部１５は、第２受入路１４の後端寄りの位置に突出して設けられている。
【００２０】
ハウジング１０の後面には、電線カバー３０が左右方向にスライドして取り付けられるカバー取付部１６が設けられている。カバー取付部１６は、ハウジング１０の上下両側に設けられ、いずれも後側および左右両側に開放された空間とされている。なお、下側のカバー取付部１６は、ハウジング１０の下面に一段下側に突出して設けられている（図９参照）。
【００２１】
上下のカバー取付部１６は、いずれもハウジング１０の全幅にわたって形成され、各カバー取付部１６の左右両端部には、図１０に示すように、電線カバー３０に設けられた係止片３６が係止可能な係止部１７が設けられている。また、各カバー取付部１６には、電線カバー３０のスライド動作を案内する案内リブ１８が設けられている。案内リブ１８は、各カバー取付部１６の後端縁に沿って複数箇所に立設されている。
【００２２】
レバー２０は回動式のレバーであって、図４に示すように、合成樹脂製で平板状をなすカム板部２１と、レバー２０を回動する際に指を当てて操作する操作部２２とを備えている。レバー２０のカム板部２１は、僅かなクリアランスをもってレバー収容部１２に組み付けられ、操作部２２は、レバー収容部１２から後方に突出した状態になる。レバー２０は、相手側コネクタ５０との嵌合前には初期位置に配され、嵌合位置まで回動操作されることによりコネクタを正規嵌合し得る。
【００２３】
カム板部２１の上面には、相手側コネクタ５０のカムピン５３が係合するカム溝２３が形成されている。カム溝２３は、カム板部２１の端縁から中心側に延びる凹部であり、レバー２０が初期位置にあるときには、カム溝２３の入口２３Ａが第１受入路１３（ハウジング１０の幅方向における中央部）に位置し、カム溝２３へのカムピン５３の受け入れが可能となる。
【００２４】
カム板部２１には、レバー２０が初期位置にあるときに、レバー収容部１２の初期ロック部１５に係止してレバー２０を初期位置に保持する初期ロック片２４が設けられている。初期ロック片２４は、カム溝２３の入口２３Ａ近傍から片持ち状に延出して設けられ、初期ロック片２４の先端部が、初期ロック部１５に係止するものとされている。
【００２５】
電線カバー３０は、コネクタ本体Ｃの後面に取り付けられるものであり、全体として、前面側が開放された断面Ｕ字形状をなすとともに、左右方向における一端側のみが開放された形態をなしている。ハウジング１０から引き出された電線Ｗは、電線カバー３０内において屈曲されて開放側（以後、電線の引出口３１と称する）から引き出される。
【００２６】
電線カバー３０は、左右の向きを変えてハウジング１０に取り付けることが可能とされている。すなわち、電線カバー３０は、電線の引出口３１が右方（一方向）を向く第１の向き（図１参照）と、電線の引出口３１が左方（一方向とは反対方向）を向く第２の向き（図３参照）とのいずれの向きからでもコネクタ本体Ｃに取り付け可能とされている。
【００２７】
電線カバー３０は、図６に示すように、上下一対の壁部（以後、第１壁部３２と称する）と、左右方向における電線の引出口３１側とは反対側に設けられた壁部（以後、第２壁部３３と称する）とを備えている。上下一対の第１壁部３２は概ね同じ形状および同じ厚さ寸法とされ、互いに略平行をなしている。第２壁部３３は、上下一対の第１壁部３２の端面に沿って設けられている。
【００２８】
第２壁部３３の前端部３３Ａは、コネクタ本体Ｃに取り付けられた状態では、ハウジング１０の後面に対して略直角をなす。第２壁部３３の前端部３３Ａの外面は、ハウジング１０の右側面または左側面と段差なく連なって配される。
【００２９】
また、第２壁部３３の前端部３３Ａには、図８に示すように、上下のスライド部３４の間に突出する突壁３７が設けられている。突壁３７は、電線カバー３０がコネクタ本体Ｃに取り付けられた状態では、ハウジング１０に設けられた上下のカバー取付部１６の間を埋めるようになっている。
【００３０】
第２壁部３３のうち前端部の後端に連なる部分（以後、第２壁部３３の中間部３３Ｂと称する）は、図６に示すように、前後方向に対して略直角をなしている。第２壁部３３の中間部３３Ｂは、電線カバー３０がコネクタ本体Ｃの取り付けられた状態では、コネクタ本体Ｃの後面と対向して配される。
【００３１】
第１壁部３２の端面（電線カバー３０の開放側の端面）のうち前端部３２Ａは、第２壁部３３の前端部３３Ａと略平行をなしている。第１壁部３２の前端部３２Ａは、電線カバー３０がコネクタ本体Ｃに取り付けられた状態では、ハウジング１０の右側面または左側面と段差なく連なって配される。また、第１壁部３２の端面のうち前端部３２Ａの後端に連なる部分（以後、第１壁部３２の中間部３２Ｂと称する）は、幅方向における中央側に向かって斜め後方に延びている。
【００３２】
電線カバー３０の前端部は、ハウジング１０の全幅にわたる幅寸法を有し、ハウジング１０のカバー取付部１６に沿って左右方向にスライド可能なスライド部３４が形成されている。スライド部３４は、電線カバー３０の上下両側に設けられ、それぞれ第１壁部３２の前縁に沿って左右方向に延びている。
【００３３】
スライド部３４には、図１０に示すように、左右方向における一方の側（電線の引出口３１側）が開口し、他方の側が閉塞されたスライド溝３５が形成されている。スライド溝３５には、ハウジング１０の案内リブ１８が入り込むものとされている。
【００３４】
また、スライド部３４には、ハウジング１０の係止部１７に係止可能な係止片３６が設けられている。係止片３６は、スライド部３４のうち第２壁部３３側の端部（取付時のスライド方向における後側の端部）に設けられている。係止片３６は、取付時のスライド方向における後方（図１０では下方向）に向かって片持ち状をなして延びている。
【００３５】
電線カバー３０をコネクタ本体Ｃに取り付けるには、電線カバー３０のスライド部３４を、電線の引出口３１側から先にカバー取付部１６に差し入れ、電線カバー３０のスライド溝３５にハウジング１０の案内リブ１８を入り込ませてスライドさせる。すると、図１０に示すように、案内リブ１８がスライド溝３５の閉塞された端部に到達してさらなるスライド動作が制限され、また係止片３６が係止部１７に係止して反対方向へのスライド移動が制限される。こうして、電線カバー３０がコネクタ本体Ｃに取り付けられる。
【００３６】
電線カバー３０には、電線Ｗが固定される電線固定部３８が設けられている。電線固定部３８は、電線カバー３０の後部に斜め後方に突出して設けられている。
第２壁部３３のうち電線固定部３８を構成する部分（以後、第２壁部３３の後端部３３Ｃと称する）は、第２壁部３３の中間部３３Ｂの一端から斜め後方に傾斜している。
【００３７】
第２壁部３３の後端部３３Ｃには、図９に示すように、結束バンドＢを通すことが可能なバンド通し孔３９が上下に一対設けられている。上下一対のバンド通し孔３９は、それぞれ上下一対の第１壁部３２に寄った位置に設けられている。各バンド通し孔３９は、水平方向に長い長方形状をなしている。
【００３８】
また、第１壁部３２の端面のうち電線固定部３８を構成する部分（以後、第１壁部３２の後端部３２Ｃと称する）は、図６に示すように、第１壁部３２の中間部３２Ｂの後端に略直角をなして連なっている。第１壁部３２の後端部３２Ｃは、第２壁部３３の後端部３３Ｃと異なる勾配で同方向に傾いている。電線固定部３８は、前端側よりも後端側の幅寸法（左右方向の寸法）が小さくなっている。
【００３９】
電線カバー３０には、電線固定部３８から左右方向（コネクタ本体Ｃと相手側コネクタ５０との嵌合方向に対して略直交する方向）に張り出す張出部４１が設けられている。張出部４１は、電線固定部３８の後端部に設けられ、電線固定部３８から左右両側に張り出している。
【００４０】
張出部４１は、図４に示すように、電線カバー３０の幅方向における中央部のうち電線カバー３０の開放側に若干寄った位置に配されている。この張出部４１の位置は、レバー２０が初期位置に配されているときのカム溝２３の入口２３Ａと、ハウジング１０の幅方向において概ね同じ位置とされている。
【００４１】
張出部４１のうち第１壁部３２の後端部３２Ｃに連なる部分（以後、第１張出壁部４２と称する）は、図６に示すように、第１壁部３２の後端部３２Ｃに対して鈍角をなして側方に突出している。
また、張出部４１のうち第２壁部３３の後端部３３Ｃに連なる部分（以後、第２張出壁部４３と称する）は、第２壁部３３の後端部３３Ｃに対し略直角をなしている。
【００４２】
第２張出壁部４３の端部（張出部４１の左右方向における端部）には、凹部４７が形成されている（図３参照）。凹部４７は、張出部４１の上下方向における中央に設けられ、張出部４１の端部を上下方向に細長く切り欠いた形態をなしている。凹部４７の上下方向における両端部は、張出部４１の端縁側に向かって開くように傾斜している。
【００４３】
張出部４１は、第２張出壁部４３から電線カバー３０の開放側に張り出す部分（以後、張出片部４４と称する）を備えている。張出片部４４は、上下一対の第１壁部３２の間にわたって設けられている。
電線固定部３８のうち張出部４１の前側に位置する部分は、図４に示すように、結束バンドＢが巻き付けられる巻付部４５とされている。
【００４４】
張出部４１の後面は、嵌合方向に対して略直交する押圧面４６とされている。押圧面４６は、第２張出部４１、張出片部４４および上下一対の第１壁部３２の後面によって構成されている。押圧面４６は、全体が平坦な面とされ、後方から見ると、図３に示すように、全体として上下方向に長い長方形状をなすとともに、上下両端部が電線カバー３０の開放側に突出している。すなわち、第２張出壁部４３および張出片部４４の後面が一つの上下方向に長い長方形部分を構成し、上下一対の第１壁部３２の後面がその上端および下端から突出する部分を構成している。
【００４５】
次に、電線Ｗを電線固定部３８に固定する作業の一例について説明する。
電線カバー３０をコネクタ本体Ｃに取り付けた後、電線Ｗの束を電線固定部３８に沿わせて結束バンドＢを電線固定部３８に巻き付ける。この際、電線Ｗの束の径寸法が小さい時には結束バンドＢをバンド通し孔３９に通し、大きいときには結束バンドＢをバンド通し孔３９に通さないで電線固定部３８の外周に巻き付ける。
【００４６】
バンド通し孔３９に通さないで結束バンドＢを締め付けた場合には、結束バンドＢは締め付けに伴って張出部４１に寄り、第１張出壁部４２および第２張出壁部４３に当接する。また、結束バンドＢの締め付けに伴って、結束バンドＢの頭部が凹部４７に誘い込まれて周方向に位置決めされる。こうして結束バンドＢは張出部４１に引っかかって抜け止めされ、電線Ｗが電線固定部３８に固定される。
【００４７】
次に、相手側コネクタ５０との嵌合作業の一例について説明する。
まず、レバー２０を初期位置にし、電線カバー３０の押圧面４６を押圧してコネクタ本体Ｃを相手側コネクタ５０のフード部５２に押し込む。すると、コネクタ本体Ｃが、幅方向における中央部を押圧されてフード部５２内に真っ直ぐ前進し、相手側コネクタ５０のカムピン５３がカム溝２３の入口２３Ａに進入する。また、相手側コネクタ５０のロック解除部によって初期ロック片２４と初期ロック部１５との係止状態が解除され、レバー２０の回動操作が可能になる。
【００４８】
次に、レバー２０を回動する。レバー２０の操作部２２を押圧してレバー２０を嵌合方向へ回動させると、カムピン５３とカム溝２３との係合によるカム作用によってコネクタが相手側コネクタ５０に引き寄せられて嵌合が進む。
【００４９】
コネクタがフード部５２に対して正規の嵌合位置に至ると、端子金具と相手側端子金具とが電気的に接続された状態になり、相手側コネクタ５０との嵌合作業が完了する。
【００５０】
次に、上記のように構成された実施例の作用および効果について説明する。
本実施例の電線カバー３０は、電線Ｗの端末に接続されたコネクタ本体Ｃの後面に取り付けられ、電線Ｗを所定の方向に屈曲させて保持するものであり、電線固定部３８が所定の方向に突出して後部に設けられ、電線固定部３８には、コネクタ本体Ｃと相手側コネクタ５０との嵌合方向に対して略直交する方向に張り出して張出部４１が設けられている。
【００５１】
この構成によれば、相手側コネクタ５０との嵌合作業の際に、張出部４１の後面（押圧面４６）を押圧することができるから、相手側コネクタ５０との嵌合作業を容易に行うことができる。
【００５２】
電線固定部３８のうち張出部４１の前側に結束バンドＢが巻き付けられて電線Ｗが固定されるようになっている。この構成によれば、張出部４１によって結束バンドＢの位置決めをすることができる。
【００５３】
張出部４１の張り出し端部に、凹部４７が形成されている。この構成によれば、張出部４１に形成された凹部４７に結束バンドＢの頭部を嵌めることにより、頭部の位置を定めることができる。また、張出部４１に凹部４７を形成することによりヒケの発生を防ぐことができる。
【００５４】
本実施例のコネクタは、電線Ｗの端末に接続されるコネクタ本体Ｃを備え、コネクタ本体Ｃが、相手側コネクタ５０に嵌合可能なハウジング１０と、初期位置から嵌合位置まで回動操作されることにより相手側コネクタ５０とハウジング１０とを正規嵌合し得るレバー２０と、を有している。そして、レバー２０が初期位置に配されているときに相手側コネクタ５０に設けられたカムピン５３と係合するカム溝２３の入口２３Ａと、張出部４１の位置とが、ハウジング１０の幅方向において概ね同じ位置とされている。
【００５５】
この構成によれば、相手側コネクタ５０との嵌合作業の際に、張出部４１の後面（押圧面４６）を押圧することによって、コネクタ本体Ｃを、レバー２０のカム溝２３の入口２３Ａと相手側コネクタ５０のカムピン５３との対向方向に真っ直ぐに押すことができる。
【００５６】
＜他の実施例＞
本発明は上記記述及び図面によって説明した実施例に限定されるものではなく、例えば次のような実施例も本発明の技術的範囲に含まれる。
（１）上記実施例では、張出部４１が左右方向に張り出しているが、これに限らず、例えば張出部は上下方向に張り出してもよい。
（２）上記実施例では、張出部４１が電線固定部３８の後端部に設けられているが、これに限らず、例えば張出部は電線固定部の途中の位置に設けてもよい。
（３）上記実施例では、張出部４１によって結束バンドＢが位置決めされるが、これに限らず、例えば張出部よりも前方に離れた位置に、結束バンドを位置決めするためのリブ等も設けてもよい。
（４）上記実施例では、張出部４１が電線固定部３８から左右両側に張り出しているが、これに限らず、張出部は電線固定部から左方または右方の一方のみに張り出すものとしてもよい。
（５）上記実施例では、電線カバー３０が左右方向の向きを変えてコネクタ本体Ｃに取り付け可能とされているが、これに限らず、本発明は、左右いずれか一方の向きでしか取り付けられない電線カバーにも適用することができる。
（６）上記実施例では、コネクタ本体Ｃが、ハウジング１０とレバー２０とを備えている場合について例示したが、これに限らず、本発明は、コネクタ本体がレバーを備えていないものにも適用することができる。
【符号の説明】
【００５７】
Ｂ…結束バンド（バンド）
Ｃ…コネクタ本体
Ｗ…電線
１０…ハウジング
２０…レバー
２３…カム溝
２３Ａ…カム溝の入口
３０…電線カバー
３８…電線固定部
４１…張出部
４７…凹部
５０…相手側コネクタ
５３…カムピン
【図１】
2017021926.tif 000003
【図２】
2017021926.tif 000004
【図３】
2017021926.tif 000005
【図４】
2017021926.tif 000006
【図５】
2017021926.tif 000007
【図６】
2017021926.tif 000008
【図７】
2017021926.tif 000009
【図８】
2017021926.tif 000010
【図９】
2017021926.tif 000011
【図１０】
2017021926.tif 000012